【事件の表示】
　特願２００１−３９２０７４「画像処理装置および画像処理方法」拒絶査定不服審判事件〔平成１５年　７月１１日出願公開、特開２００３−１９８８０５〕について、次のとおり審決する。
【結　論】
　本件審判の請求は、成り立たない。
【理　由】
１．手続の経緯
　本願は、平成１３年１２月２５日の出願であって、平成１７年６月３日付けで拒絶査定がなされ、これに対し、同年７月７日に拒絶査定に対する審判請求がなされるとともに、同年８月８日付けで手続補正がなされたものである。
　
２．平成１７年の８月８日付けの手続補正についての補正却下の決定
［補正却下の決定の結論］
　平成１７年の８月８日付けの手続補正を却下する。
　
［理由］
２−１．補正後の本願発明
　本件補正により、特許請求の範囲の請求項１は、
「原稿の表面の画像を読み取る表面画像入力手段と、前記原稿の裏面の画像を読み取る裏面画像入力手段と、を有し、前記原稿の表面と裏面とを前記表面画像入力手段と前記裏面画像入力手段とで同時に走査することにより前記原稿の両面を同時に読み取る両面原稿読取装置と、
　前記表面画像入力手段から入力される表面入力画像データを一時記憶する表面バッファメモリ手段と、
　前記裏面画像入力手段から入力される裏面入力画像データを一時記憶する裏面バッファメモリ手段と、
　前記表面バッファメモリ手段と前記裏面バッファメモリ手段からの画像データを格納するハードディスクと、
　前記ハードディスクから画像データを読み出し、画像形成用の印字データとして記憶する印字用記憶手段と、
　制御手段と、を備え、
　前記制御手段は、先ず、前記表面バッファメモリ手段または裏面バッファメモリ手段のいずれか一方のメモリ手段に一時記憶された画像データを前記ハードディスクに格納させ、その間、他方のメモリ手段には、読み取られた画像データの一時記憶のみをおこなわせ、次いで、前記一方のメモリ手段からの画像データの格納が完了した後に、前記他方のメモリ手段に一時記憶されている画像データを、前記ハードディスクに格納させ、
　先に前記ハードディスクに格納する前記一方のメモリ手段の記憶容量を、前記表面画像入力手段と前記裏面画像入力手段とのうち、該メモリ手段に接続された画像入力手段の画像データ出力速度に対して前記ハードディスクへの書き込み速度が遅延する遅延量に相当する大きさに設定し、前記他方のメモリ手段の記憶容量を、その面の画像信号をすべて格納できる大きさに設定し、
　前記ハードディスクは、予め設定してある表面領域と裏面領域とを備え、前記制御手段は、前記表面バッファメモリ手段に一時記憶された画像データを前記表面領域に連続して格納させ、前記裏面バッファメモリ手段に一時記憶された画像データを前記裏面領域に連続して格納させることを特徴とする画像処理装置。」
と補正された。
　上記補正は、発明を特定するために必要な事項である補正前の「格納手段」を「ハードディスク」とするものであるから、少なくとも特許請求の範囲の減縮を目的とするものに該当する。
　そこで、本件補正後の請求項１に係る発明が特許出願の際独立して特許を受けることができるものであるか（平成１８年改正前特許法第１７条の２第５項において準用する同法第１２６条第５項の規定に適合するか）について以下に検討する。
　ただし、本件補正後の請求項１の記載において、「書き込み速度が遅延する」とはどのようなことであるのか明確とはいえないが、その記載を当業者の技術常識に基づいて参酌すれば、「書き込み速度が遅いので、該書き込みが遅延する」ことと推測できるので、本件補正後の請求項１に係る発明（以下、「本願補正発明」という。）は以下に記載の事項により特定されるとおりのものと認める。
「原稿の表面の画像を読み取る表面画像入力手段と、前記原稿の裏面の画像を読み取る裏面画像入力手段と、を有し、前記原稿の表面と裏面とを前記表面画像入力手段と前記裏面画像入力手段とで同時に走査することにより前記原稿の両面を同時に読み取る両面原稿読取装置と、
　前記表面画像入力手段から入力される表面入力画像データを一時記憶する表面バッファメモリ手段と、
　前記裏面画像入力手段から入力される裏面入力画像データを一時記憶する裏面バッファメモリ手段と、
　前記表面バッファメモリ手段と前記裏面バッファメモリ手段からの画像データを格納するハードディスクと、
　前記ハードディスクから画像データを読み出し、画像形成用の印字データとして記憶する印字用記憶手段と、
　制御手段と、を備え、
　前記制御手段は、先ず、前記表面バッファメモリ手段または裏面バッファメモリ手段のいずれか一方のメモリ手段に一時記憶された画像データを前記ハードディスクに格納させ、その間、他方のメモリ手段には、読み取られた画像データの一時記憶のみをおこなわせ、次いで、前記一方のメモリ手段からの画像データの格納が完了した後に、前記他方のメモリ手段に一時記憶されている画像データを、前記ハードディスクに格納させ、
　先に前記ハードディスクに格納する前記一方のメモリ手段の記憶容量を、前記表面画像入力手段と前記裏面画像入力手段とのうち、該メモリ手段に接続された画像入力手段の画像データ出力速度に対して前記ハードディスクへの書き込み速度が遅いので、該書き込みが遅延する遅延量に相当する大きさに設定し、前記他方のメモリ手段の記憶容量を、その面の画像信号をすべて格納できる大きさに設定し、
　前記ハードディスクは、予め設定してある表面領域と裏面領域とを備え、前記制御手段は、前記表面バッファメモリ手段に一時記憶された画像データを前記表面領域に連続して格納させ、前記裏面バッファメモリ手段に一時記憶された画像データを前記裏面領域に連続して格納させることを特徴とする画像処理装置。」
　
２−２．引用例
　原査定の拒絶の理由に引用された特開平７−２９６１５２号公報（以下、引用例１という。）には、図面とともに以下の記載がなされている。
　
（１）「【請求項２】　原稿の表面及び裏面の各画像を読み取ることができる画像読取装置と、
該画像読取装置によって読み取った原稿の表裏面の画像データを一時的に記憶する画像メモリと、
該画像メモリに記憶された原稿の表裏面の画像データを光磁気ディスク等の不揮発性記憶媒体に検索可能に登録して記憶させる情報記憶装置と、
前記画像読取装置による原稿の表裏面の画像の読み取り、その読み取り画像データの前記画像メモリへの記憶、及びその画像データの前記情報記憶装置による記憶媒体への登録の各動作を制御するシステム制御部とを備えた電子ファイルシステムにおいて、
前記画像読取装置が、原稿給送手段により給送される原稿の表面及び裏面の各画像をそれぞれ読み取る第１，第２の画像読取手段を原稿の給送路を挟んで両側に備えた両面画像読取装置であり、
……を設けたことを特徴とする電子ファイルシステム。」
　
（２）「【００１７】
【実施例】以下、この発明の実施例を図面に基づいて具体的に説明する。図１はこの発明の一実施例を示す電子ファイルシステムのブロック構成図である。この電子ファイルシステムは、電子ファイル本体１と、原稿の表面及び裏面の各画像を読み取ることができる両面画像読取装置（両面スキャナともいう）２、２次元のイメージ画像を表示できるＣＲＴ，ＬＣＤ等の表示装置３、不揮発性記憶媒体として例えば大容量の光磁気ディスクを使用する光磁気ディスク装置（ＯＤＤ）等の情報記憶装置４、キーボードやマウス等の指示入力装置５、及び印刷装置（プリンタ）６によって構成されている。
【００１８】電子ファイル本体１は、システム制御部１０，システム用メモリ１１，画像処理部１２，画像入力制御部１３，画像メモリ１４，表示制御部１５，記憶装置制御部１６，指示入力制御部１７，及び印刷制御部１８等からなる。
【００１９】システム制御部１０は、このシステム全体を統括制御するＣＰＵを含む制御部であり、システム用メモリのＲＯＭに格納されたプログラムに従い、ＲＡＭをワーキングメモリとして使用して処理，判断等を実行し、他の各部と共にこの発明における表裏監視手段，エラー検出手段，登録制御手段，登録選択手段等の機能も果たす。
【００２０】画像処理部１２は、画像メモリに格納された画像データに対して、必要に応じて、各種補正，拡大，縮小，回転，削除等の画像処理を行なう。画像入力制御部１３は、両面画像読取装置２によって読み取った原稿の表裏面の画像データを入力して画像メモリ１４に一旦格納するための制御を行なうものであり、例えばＳＣＳＩコントローラ及びＤＭＡコントローラ等からなる。
【００２１】画像メモリ１４は、画像入力制御部１３からの新たな入力画像データ及び記憶装置制御部１６によって情報記憶装置４から読み出される検索画像データを一時的に記憶するイメージデータのメモリである。表示制御部１５は、表示装置（ＣＲＴ，ＬＣＤ等）に画像データ及び後述する登録選択画面、及び各種操作情報等を表示させるための制御を行なう。記憶装置制御部１６は、画像メモリに一時記憶された画像データを情報記憶装置（ＯＤＤ等）４によって記憶媒体に登録して記憶させたり、記憶媒体から検索条件に合った画像データを読み出させて画像メモリ１４に格納したりする制御を行なう。
【００２２】指示入力制御部１７は、キーボートやマウスである指示入力装置５からのキー操作あるいはマウスによるカーソル移動及びクリツク操作の情報を入力してシステム制御部１０に伝える。印刷制御部１８は、画像メモリ１４に格納されている画像データを印刷装置６によって紙に印刷させるための制御を行なう。」
　
（３）「【００２３】図２は、図１における両面画像読取装置２の一例を示す概略構成図であり、表裏両面に画像が形成されている両面原稿（以下単に「原稿」という）７を図示を省略した原稿給送手段により矢示Ａ方向に給送し、その表面７ａ及び裏面７ｂの各画像をそれぞれ読み取る第１の画像読取部２ａと第２の画像読取部２ｂを原稿の給送路２０を挟んで両側に備えている。そして、読み取り後の原稿７は矢示Ｂ方向へ排出する。
……
【００２８】このようにして、第１の画像読取部２ａのバッファメモリ２７ａに順次格納される表面の画像データ及び第２の画像読取部２ｂのバッフアメモリ２７ｂに順次格納される裏面の画像データを、図１に示したファイル本体１のシステム制御部１０の指令によって画像入力制御部１３が、表面の画像データから順次読み込んで画像メモリ１４に格納する。
【００２９】なお、この実施例では画像読取装置として、原稿の一度の給送でその表裏両面の画像を同時に読み取れる両面画像読取装置を用いたが、……」
　
（４）「【００３２】ステップＳ１で両面登録であれば、ステップＳ２へ進んで登録の前処理を行ない、ステップＳ３で読み取り条件を設定する。次いで、ステップＳ４でスキャナ２に原稿がセットされているか否かをチェックし、セットされていなければセットされるまで待ち、セットされてるとステップＳ５に進んでスキャナ２で原稿の表裏両面の画像を読み取り、その各画像データを画像メモリ１４へ読み込む。
【００３３】そして、ステップＳ６でエラーの発生をチェックし、エラーが発生しなければステップＳ７へ進んで、画像メモリ１４内の表面の画像データを情報記憶装置４によって不揮発性記憶媒体である光磁気ディスク　　　（以下単に「ディスク」という）に書き込ませて登録する。さらにステップＳ８で画像メモリ１４内の裏面の画像データをディスクに書き込ませて登録する。」
　
　したがって、引用例１には次の発明（以下、「引用発明１」という。）が記載されている。
　
「表裏両面に画像が形成されている両面原稿の表面７ａ及び裏面７ｂの各画像をそれぞれ読み取る第１の画像読取部２ａと第２の画像読取部２ｂを原稿の給送路２０を挟んで両側に備えている両面画像読取装置２と、
　第１の画像読取部２ａのバッファメモリ２７ａに順次格納される表面の画像データ及び第２の画像読取部２ｂのバッフアメモリ２７ｂに順次格納される裏面の画像データを、ファイル本体１のシステム制御部１０の指令によって画像入力制御部１３が、表面の画像データから順次読み込んで格納する画像メモリ１４と、
　画像メモリ１４内の表面の画像データを情報記憶装置４によって書き込ませて登録し、さらにその後のステップで画像メモリ１４内の裏面の画像データを書き込ませて登録する不揮発性記憶媒体である光磁気ディスクと、
　を備え、
　記憶装置制御部１６は、光磁気ディスクから検索条件に合った画像データを読み出させて画像メモリ１４に格納し、印刷制御部１８は、画像メモリ１４に格納されている画像データを印刷装置６によって紙に印刷させるための制御を行なうこと
　を特徴とする電子ファイルシステム。」
　
　原査定の拒絶の理由に引用された特開平１１−１７７７３５号公報　（以下、引用例２という。）には、図面とともに以下の記載がなされている。
　
（５）「【００２５】図２は、両面スキャナ５の一例を示している。この両面スキャナ５は、カット紙の原稿を読み取る読取搬送系を備えている。
【００２６】同図において、表面読取ヘッド２１は、原稿の表面の画像を読み取るためのものであり、この表面ヘッド２１より出力される表面画像データＰＡは、出力制御部２２を介して、上位制御部へと出力される。
【００２７】また、裏面読取ヘッド２３は、原稿の裏面の画像を読み取るためのものであり、この裏面ヘッド２３より出力される裏面画像データＰＢは、出力制御部２２を介して、いったんページバッファメモリ２４へ保存され、出力制御部２２により、ページバッファメモリ２４から読み出されて、上位制御部へと出力される。」
　
　したがって、引用例２には次の発明（以下、「引用発明２」という。）が記載されている。
　
「表面ヘッド２１より出力される表面画像データＰＡを、出力制御部２２を介して、上位制御部へと出力するとともに、
　裏面ヘッド２３より出力される裏面画像データＰＢを、出力制御部２２を介して、いったんページバッファメモリ２４へ保存し、出力制御部２２により、ページバッファメモリ２４から読み出して、上位制御部へと出力する
　両面スキャナ。」
　
　原査定の拒絶の理由に引用された特開平１−１７３９６２号公報（以下、引用例３という。）には、図面とともに以下の記載がなされている。
　
（６）「搬送路を搬送される原稿の一方の面の画像情報を読取る第１の読取手段と、
　上記搬送路を搬送される原稿の他方の面の画像情報を読取る第２の読取手段と、
　上記第１の読取手段の読取結果を記憶する記憶手段と、
　上記第２の読取手段の読取結果と上記記憶手段の記憶内容とを連続して出力する出力手段と、
　を具備したことを特徴とする原稿読取装置。」
（特許請求の範囲）
　
（７）「たとえば、光学系５で原稿の表面を読取っている際に、光学系２０で原稿の裏面を読取る場合は、光学系２０からの画像信号をフレームメモリ８４、あるいは８５に一旦書込み、光学系５で読取った原稿表面の画像信号をホストコンピュータへ送出後、ホストコンピュータへ裏面側の画像信号を送出することで、通常の片面原稿と同じように画像信号をホストコンピュータへ転送できる。」
（第６頁左上欄第１５行−右上欄第２行）
　
　したがって、引用例３には次の発明（以下、「引用発明３」という。）が記載されている。
　
　「搬送路を搬送される原稿の一方の面の画像情報を読取る第１の読取手段と、
　上記搬送路を搬送される原稿の他方の面の画像情報を読取る第２の読取手段と、
　上記第１の読取手段の読取結果を記憶するフレームメモリと、
　上記第２の読取手段の読取結果を出力後、上記フレームメモリの記憶内容を連続して出力する出力手段と、
　を具備したことを特徴とする原稿読取装置。」
　
２−３．対比
　引用発明１の「第１の画像読取部２ａ」と「第２の画像読取部２ｂ」とは、それぞれ原稿の表面の画像を読み取る機能と原稿の裏面の画像を読み取る機能を有するので、本願補正発明の「表面画像入力手段」と「裏面画像入力手段」とに対応し、引用発明１の「両面画像読取装置２」は本願補正発明の「両面原稿読取装置」に対応するものである。
　引用発明１の「第１の画像読取部２ａのバッファメモリ２７ａ」及び「画像メモリ１４」は、表面の画像データを光磁気ディスクに書き込ませて登録するまで一時記憶する機能を有し、「第２の画像読取部２ｂのバッフアメモリ２７ｂ」及び「画像メモリ１４」は、裏面の画像データを光磁気ディスクに書き込ませて登録するまで一時記憶する機能を有するから、後記の相違点の機能をのぞいて、本願補正発明の「表面バッファメモリ手段」及び「裏面バッファメモリ手段」の機能に対応するものである。
　引用発明１の「光磁気ディスク」も本願補正発明の「ハードディスク」も、画像データを格納する格納手段といえる。
　引用発明１は、画像メモリ１４内の表面の画像データを情報記憶装置４によって不揮発性記憶媒体である光磁気ディスクに書き込ませて登録し、さらにその後のステップで画像メモリ１４内の裏面の画像データを不揮発性記憶媒体である光磁気ディスクに書き込ませて登録するものであるから、格納手段の相違をのぞいて、本願補正発明と
「制御手段と、を備え、
　前記制御手段は、先ず、前記表面バッファメモリ手段または裏面バッファメモリ手段のいずれか一方のメモリ手段に一時記憶された画像データを前記格納手段に格納させ、その間、他方のメモリ手段には、読み取られた画像データの一時記憶のみをおこなわせ、次いで、前記一方のメモリ手段からの画像データの格納が完了した後に、前記他方のメモリ手段に一時記憶されている画像データを、前記格納手段に格納させ、」
とする点で共通するといえる。
　また、引用発明１の電子ファイルシステムは、原稿の画像を読み取り、画像データを格納する機能を有するから、画像処理装置といえるものである。
　したがって、本願補正発明と引用発明１とを対比すると次の点で一致する。
　
「原稿の表面の画像を読み取る表面画像入力手段と、前記原稿の裏面の画像を読み取る裏面画像入力手段と、を有し、前記原稿の表面と裏面とを前記表面画像入力手段と前記裏面画像入力手段とで同時に走査することにより前記原稿の両面を同時に読み取る両面原稿読取装置と、
　前記表面画像入力手段から入力される表面入力画像データを一時記憶する表面バッファメモリ手段と、
　前記裏面画像入力手段から入力される裏面入力画像データを一時記憶する裏面バッファメモリ手段と、
　前記表面バッファメモリ手段と前記裏面バッファメモリ手段からの画像データを格納する格納手段と、
　前記格納手段から画像データを読み出し、画像形成用の印字データとして記憶する印字用記憶手段と、
　制御手段と、を備え、
　前記制御手段は、先ず、前記表面バッファメモリ手段または裏面バッファメモリ手段のいずれか一方のメモリ手段に一時記憶された画像データを前記格納手段に格納させ、その間、他方のメモリ手段には、読み取られた画像データの一時記憶のみをおこなわせ、次いで、前記一方のメモリ手段からの画像データの格納が完了した後に、前記他方のメモリ手段に一時記憶されている画像データを、前記格納手段に格納させること
　を特徴とする画像処理装置。」
　
　また次の点で相違する。
　
　相違点１
　本願補正発明は格納手段がハードディスクであるのに対して、引用発明１では光磁気ディスクである点。
　
　相違点２
　本願補正発明では表面バッファメモリ手段及び裏面バッファメモリ手段の記憶容量に関して、
「先に前記ハードディスクに格納する前記一方のメモリ手段の記憶容量を、前記表面画像入力手段と前記裏面画像入力手段とのうち、該メモリ手段に接続された画像入力手段の画像データ出力速度に対して前記ハードディスクへの書き込み速度が遅いので、該書き込みが遅延する遅延量に相当する大きさに設定し、前記他方のメモリ手段の記憶容量を、その面の画像信号をすべて格納できる大きさに設定し、」
としているのに対して、引用発明１では記憶容量に関して、明示的な特定がない点。
　
　相違点３
　本願補正発明では格納手段であるハードディスクの記憶領域に関して、
「前記ハードディスクは、予め設定してある表面領域と裏面領域とを備え、前記制御手段は、前記表面バッファメモリ手段に一時記憶された画像データを前記表面領域に連続して格納させ、前記裏面バッファメモリ手段に一時記憶された画像データを前記裏面領域に連続して格納させること」
としているのに対して、引用発明１では記憶領域に関して、明示的な特定がない点。
　
２−４．相違点に対する判断
　
　相違点１について
　画像データを格納する手段としてハードディスクは周知のものであり、格納手段としてハードディスクを用いることに格別の点はない。
　
　相違点２について
　引用発明２又は引用発明３のように、原稿の両面を同時に読み取る際に、一方の面の画像データを出力するとともに、他方の面の画像データをページバッファメモリ又はフレームメモリに記憶して、一方の面の画像データを出力した後にページバッファメモリ又はフレームメモリを読み出して出力することが知られており、ページバッファメモリ又はフレームメモリに記憶するのであるから、その記憶容量はその面の画像信号をすべて格納できる大きさのはずである。
　また、データの入出力速度の差を吸収するためにその速度の差に応じた遅延量に相当するデータを記憶可能な容量のバッファメモリを設けることは、バッファメモリの普通の使用にすぎないので、表面バッファメモリ手段及び裏面バッファメモリ手段の記憶容量を本願補正発明のようにすることに困難な点はない。
　
　相違点３について
　引用発明１においても、表面の画像データを書き込ませて登録し、さらにその後のステップで裏面の画像データを書き込ませて登録するのであるから、特別な書き込み方をするのでなければ、表面の画像データと裏面の画像データとが交互に分割して書き込まれるようなことはなく、普通に書き込みを行えば、表面の画像データが連続して一つの領域に書き込まれ、それとは異なる一つの領域に裏面の画像データが書き込まれるはずである。
　また、書き込む領域を予め設定することにも格別の点はないから、記憶領域に関する点を本願補正発明のようにすることに困難な点はない。
　
　以上のように、各相違点を本願補正発明のようにすることに困難な点はないので、本願補正発明は、引用発明１、及び引用発明２又は引用発明３に基づいて、当業者が容易に発明をすることができたものであるから、特許法第２９条第２項の規定により、特許出願の際独立して特許を受けることができないものである。
　
２−５．むすび
　したがって、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
３．本願発明について
　平成１７年８月８日付けの手続補正は上記のとおり却下されたので、本願の請求項１の記載は、平成１７年５月１６日付けの手続補正書の特許請求の範囲の請求項１に記載された、以下のとおりのものである。
　
「原稿の表面の画像を読み取る表面画像入力手段と、前記原稿の裏面の画像を読み取る裏面画像入力手段と、を有し、原稿の表面と裏面とを前記表面画像入力手段と裏面画像入力手段とで同時に走査することにより前記原稿の両面を同時に読み取る両面原稿読取装置と、
　前記表面画像入力手段から入力される表面入力画像データを一時記憶する表面バッファメモリ手段と、
　前記裏面画像入力手段から入力される裏面入力画像データを一時記憶する裏面バッファメモリ手段と、
　前記表面バッファメモリ手段と前記裏面バッファメモリ手段からの画像データを格納する格納手段と、
　前記格納手段から画像データを読み出し、画像形成用の印字データとして記憶する印字用記憶手段と、
　制御手段と、を備え、
　前記制御手段は、先ず、前記表面バッファメモリ手段または裏面バッファメモリ手段のいずれか一方のメモリ手段に一時記憶された画像データを前記格納手段に格納させ、その間、他方のメモリ手段には、読み取られた画像データの一時記憶のみをおこなわせ、次いで、前記一方のメモリ手段からの画像データの格納が完了した後に、前記他方のメモリ手段に一時記憶されている画像データを、前記格納手段に格納させ、
　先に前記格納手段に格納する前記一方のメモリ手段の記憶容量を、該メモリへの記憶速度に対して前記格納手段への書き込み速度が遅延する遅延量に相当する大きさに設定し、前記他方のメモリ手段の記憶容量を、その面の画像信号をすべて格納できる大きさに設定したことを特徴とする画像処理装置。」
　
「先に前記格納手段に格納する前記一方のメモリ手段の記憶容量を、該メモリへの記憶速度に対して前記格納手段への書き込み速度が遅延する遅延量に相当する大きさに設定し、」との記載では、明細書及び図面の記載と対応せず、どのような記憶容量とするのか明確なものとはいえないので、原査定の拒絶の理由で
「 (2)請求項３について
・「前記格納手段への書き込み速度遅延に必要なだけの大きさ」（請求項３の第１〜２行）（何を表しているのかが明確になっていない。特に、「書き込み速度遅延」という記載は、不明瞭である。）」
と指摘した点が依然として明確ではない。
　したがって、本願の特許請求の範囲の記載は、原査定の拒絶の理由で指摘した点が明確ではないから、特許法第３６条第６項に規定する要件を満たしていない。
　よって、結論のとおり審決する。
　
４．備考
　原査定は、特許法第２９条第２項の規定により特許を受けることができないという理由によっても拒絶すべきものであるとしているので、仮に、本願の特許請求の範囲の請求項１の記載が明確であるとした場合についても、一応の見解を示すこととする。
　本願の特許請求の範囲の請求項１の
「先に前記格納手段に格納する前記一方のメモリ手段の記憶容量を、該メモリへの記憶速度に対して前記格納手段への書き込み速度が遅延する遅延量に相当する大きさに設定し、」
との記載を、本願補正発明と同様の記載とした以下に記載の事項により特定されるとおりのものを本願の特許請求の範囲の請求項１に係る発明（以下、「本願発明」という。）と認める。
　
「原稿の表面の画像を読み取る表面画像入力手段と、前記原稿の裏面の画像を読み取る裏面画像入力手段と、を有し、原稿の表面と裏面とを前記表面画像入力手段と裏面画像入力手段とで同時に走査することにより前記原稿の両面を同時に読み取る両面原稿読取装置と、
　前記表面画像入力手段から入力される表面入力画像データを一時記憶する表面バッファメモリ手段と、
　前記裏面画像入力手段から入力される裏面入力画像データを一時記憶する裏面バッファメモリ手段と、
　前記表面バッファメモリ手段と前記裏面バッファメモリ手段からの画像データを格納する格納手段と、
　前記格納手段から画像データを読み出し、画像形成用の印字データとして記憶する印字用記憶手段と、
　制御手段と、を備え、
　前記制御手段は、先ず、前記表面バッファメモリ手段または裏面バッファメモリ手段のいずれか一方のメモリ手段に一時記憶された画像データを前記格納手段に格納させ、その間、他方のメモリ手段には、読み取られた画像データの一時記憶のみをおこなわせ、次いで、前記一方のメモリ手段からの画像データの格納が完了した後に、前記他方のメモリ手段に一時記憶されている画像データを、前記格納手段に格納させ、
　先に前記格納手段に格納する前記一方のメモリ手段の記憶容量を、前記表面画像入力手段と前記裏面画像入力手段とのうち、該メモリ手段に接続された画像入力手段の画像データ出力速度に対して前記格納手段への書き込み速度が遅いので、該書き込みが遅延する遅延量に相当する大きさに設定し、前記他方のメモリ手段の記憶容量を、その面の画像信号をすべて格納できる大きさに設定したことを特徴とする画像処理装置。」
　
　原査定の拒絶の理由に引用された引用例１−３の記載事項は、前記のとおりである。
　そして、本願発明は、格納手段をハードディスクとする特定、及び格納手段であるハードディスクの記憶領域に関して
「前記ハードディスクは、予め設定してある表面領域と裏面領域とを備え、前記制御手段は、前記表面バッファメモリ手段に一時記憶された画像データを前記表面領域に連続して格納させ、前記裏面バッファメモリ手段に一時記憶された画像データを前記裏面領域に連続して格納させること」
との特定がないものであるから、本願補正発明と同様、引用発明１、及び引用発明２又は引用発明３に基づき当業者が容易に発明をすることができたものであり、特許法第２９条第２項の規定により特許を受けることができない。